(57)【特許請求の範囲】
【請求項１】
基盤に立設される支柱と、
上記支柱の上端部に第１の継手を介して水平方向及び鉛直方向に回動自在に装着されると共に、摺動自在に装着される支持アームと、
上記支持アームの先端部に第２の継手を介して支持アームの軸心に対する周方向及び直交方向に回動自在に装着される保持アームと、
上記保持アームの先端部に取り付けられる、書物押さえ部を有する書物保持体と、を具備し、
上記第１の継手は、上記支柱の上端に取り付けられる第１の継手基部と、上記支持アームを回動及び摺動自在に貫通する第１のアーム支持部と、上記第１のアーム支持部における上記支持アームの貫通部において支持アームの回動力及び摺動力を調整する回動・摺動調整部材と、上記第１の継手基部と上記第１のアーム支持部とを回動自在に取り付ける枢軸と、上記第１のアーム支持部における枢軸受け孔内に嵌挿され、上記支持アームの先端側の上昇移動時にはフリー状態で回動させ、下降移動時にはロック状態で回動させるワンウエイベアリングと、を具備し、
上記第２の継手は、上記支持アームの先端部に取り付けられる第２のアーム支持部と、上記第２のアーム支持部に一端部が枢着され、他端に上記保持アームの基端部が回動自在及び抜け止め部材を介して抜け止め状態で嵌装される第２の継手基部と、上記第２の継手基部に設けられて上記保持アームの外周面に当接可能な回動調整部材と、を具備する、
ことを特徴とする書見用スタンド。
【請求項２】
請求項１記載の書見用スタンドにおいて、
上記抜け止め部材は、上記保持アームの外周面に設けられた外周溝と、上記第２の継手基部の嵌装内周面に設けられた内周溝との間に介在される略楕円Ｃ字状の弾性変形可能な抜け止めリングにて形成される、ことを特徴とする書見用スタンド。
【請求項３】
請求項１記載の書見用スタンドにおいて、
上記第１の継手基部は、上記支柱の上端に嵌装される取付部と、上記取付部の上端に対峙状に立設され、外方に向かって膨隆する半球面部を有すると共に上記枢軸を貫挿する貫通孔を有し、かつ、上端から上記貫通孔に渡ってスリットを有する一対の円形状の起立部と、上記両起立部における上記スリットを介して対向する部分に貫通され、少なくとも一方にねじ部が設けられる締結用孔と、上記締結用孔のねじ部にねじ結合されて上記枢軸の締結力を調整可能な締結調整ねじ部材と、を具備し、
上記第１のアーム支持部は、上記支持アームを回動及び摺動自在に貫通するアーム貫通孔を有すると共に、上端から上記アーム貫通孔に渡ってスリットを有するアーム取付部と、上記アーム取付部に突設され、上記ワンウエイベアリングを嵌挿した状態で上記一対の起立部間に挿入される上記起立部と略同径円形状の回動部と、上記回動部における上記起立部と対向する面に設けられた環状嵌合溝に嵌合されて上記起立部に摺接可能な合成ゴム製のＯリングと、を具備し、
上記アーム取付部における上記スリットを介して対向する部分にねじ孔を設け、上記ねじ孔にねじ結合する上記回動・摺動調整部材によって上記支持アームの回動力及び摺動力を調整可能にする、
ことを特徴とする書見用スタンド。
【請求項４】
請求項１記載の書見用スタンドにおいて、
上記第２の継手基部は、上記保持アームを回動自在に嵌挿するスリットを介して２分割された開口穴を有する取付部と、上記取付部の先端に対峙状に突設され、外方に向かって膨隆する半球面部を有すると共に、少なくとも一方にねじ部が設けられる貫通孔を有する一対の円形状の突出部と、を具備し、
上記回動調整部材は、上記スリットにより２分割された上記取付部の一方から上記開口穴に貫通するねじ孔にねじ結合し、上記保持アームの外周面に当接する回動調整ねじ部材にて形成され、
上記第２のアーム支持部は、上記支持アームに嵌装されるアーム取付部と、上記アーム取付部に突設され、中央部に貫通孔を有し、かつ、上記一対の突出部間に挿入される上記突出部と略同径円形状の回動部と、上記回動部における上記突出部と対向する面に設けられる環状嵌合溝に嵌合されて上記突出部に摺接可能な合成ゴム製のＯリングと、を具備し、
上記第２の継手基部の突出部に設けられた貫通孔と、上記第２のアーム支持部の回動部に設けられた上記貫通孔を貫通し、一方の貫通孔に設けられたねじ部にねじ結合する締付け調整ねじ部材によって上記第２の継手基部と第２のアーム支持部の締付け力を調整可能にする、
ことを特徴とする書見用スタンド。
【請求項５】
請求項１記載の書見用スタンドにおいて、
上記支柱は、上記基盤上に固定される支柱本体と、上記支柱本体の上端に緩衝材を介して回動自在に連結される回動軸と、を具備する、ことを特徴とする書見用スタンド。
【請求項６】
請求項１又は５に記載の書見用スタンドにおいて、
上記支柱を回避して上記基盤上に載置可能な重りを更に具備する、ことを特徴とする書見用スタンド。
【請求項７】
請求項５記載の書見用スタンドにおいて、
上記支柱を回避して上記基盤上に載置可能な重りを、上記支柱に関して偏倚した形状に形成し、上記回動軸と上記重りとを連結部材にて連結し、上記重りの偏倚部を上記回動軸の回動に伴って上記支持アームの基端側に追従させる、ことを特徴とする書見用スタンド。
【請求項８】
請求項１記載の書見用スタンドにおいて、
上記書物保持体は、書物を載置する載置板と、上記載置板の下端に沿設され、書物の下端部を支持する支持片を具備し、
上記書物押さえ部は、上記支持片の中央部に一端が固定され、他端が上記載置板の裏面に突設された係止突起に着脱可能に係止する伸縮自在な中央保持紐と、上記載置板の両側の表裏面に着脱可能に掛け渡される伸縮自在な頁押さえ紐と、上記頁押さえ紐上を移動自在に緩装される球状押さえ部材と、を具備する、
ことを特徴とする書見用スタンド。
【発明の詳細な説明】
【技術分野】
【０００１】
この発明は、例えば仰臥や横臥等の異なる姿勢に対応して書物を開いて保持する書見用スタンドに関するものである。
【背景技術】
【０００２】
従来、仰臥の姿勢で書物を読むことができる書見台として、高さ及び水平回転可能な支柱部材と、この支柱部材の上端にスライド接続手段を介して取り付けられるアーム部材と、このアーム部材の先端に回転及び起伏自在に取り付けられる書物受け部と、書物のページ抑えと、を具備する書見台が知られている（例えば、特許文献１参照）。
【０００３】
特許文献１記載の書見台によれば、支柱部材の高さ調節と回転によって書物受け部の向きを調節し、アーム部材を進退させて進出長さを調節し、書物受け部を回転及び起伏することにより、書物受け部にページ抑えによって抑えられた書物を読書する者に対応させることができる。
【０００４】
また、別の書見台として、ベース部材に立設されたポールと、ポールに高さ調整可能に取り付けられるアーム支持体と、アーム支持体に左右方向の位置を調節でき、かつ、水平方向に回動可能な取付具を介して取り付けられた天秤アームと、天秤アームの一端部に回動可能に取り付けられた書籍支持板と、天秤アームの他端部に位置調整可能に係止し、書籍支持板を所定の高さに位置させる天秤重りと、を具備する書見台が知られている（例えば、特許文献２参照）。
【０００５】
特許文献２記載の書見台によれば、取付具をポールの適当な位置に取り付けて天秤アームの高さを設定した後、取付具に所定間隔で形成されたボルト挿入孔の任意の位置に蝶ナットを取り付けてポールから天秤アームの一端部の突出量を設定すると共に、天秤アームを回動して書籍支持板の角度を設定することができ、また、天秤アームの他端部に天秤重りを係止して書籍支持板の高さ調整を行うことができる。
【先行技術文献】
【特許文献】
【０００６】
【特許文献１】特開２００２−２９１５３８号公報（段落００１４，００３９，００４０、図１）
【特許文献２】特開２０１０−１７８９４０号公報（特許請求の範囲、図１〜図４）
【発明の概要】
【発明が解決しようとする課題】
【０００７】
しかしながら、特許文献１記載の書見台においては、書物受け部の高さ調整を支柱部材の伸縮操作によって行うため、書物受け部側から高さ調整を行うことができない。また、書物受け部は起伏による調節は可能であるが、書物受け部の面方向の回動ができず、書物受け部の最適な位置調整ができないという懸念がある。
【０００８】
また、特許文献２に記載の書見台においても、書籍支持板の高さ調整は、天秤アームを取り付けた取付具をポールの適当な位置に取り付けて行うため、書籍支持板側から高さ調整を行うことができない。また、書籍支持板は天秤アームを回動することにより角度調整は可能であるが、特許文献１に記載の書見台と同様に書籍支持板の面方向の回動ができず、書物受け部の最適な位置調整ができないという懸念がある。
【０００９】
また、特許文献１及び２に記載の書見台においては、いずれも重量のある書物に対応した位置調整及び安定保持に関しては言及されておらず、重量のある書物を仰臥や横臥等の異なる姿勢に対応した位置調整の自由度が十分でないという懸念があった。
【００１０】
この発明は、上記事情に鑑みてなされたもので、仰臥や横臥等の異なる姿勢に対応して書物保持体の位置調整を容易に行えるようにすると共に、書物の安定保持を行えるようにした書物用スタンドを提供することを目的とする。
【課題を解決するための手段】
【００１１】
上記課題を解決するため、この発明は、基盤に立設される支柱と、上記支柱の上端部に第１の継手を介して水平方向及び鉛直方向に回動自在に装着されると共に、摺動自在に装着される支持アームと、上記支持アームの先端部に第２の継手を介して支持アームの軸心に対する周方向及び直交方向に回動自在に装着される保持アームと、上記保持アームの先端部に取り付けられる、書物押さえ部を有する書物保持体と、を具備し、上記第１の継手は、上記支柱の上端に取り付けられる第１の継手基部と、上記支持アームを回動及び摺動自在に貫通する第１のアーム支持部と、上記第１のアーム支持部における上記支持アームの貫通部において支持アームの回動力及び摺動力を調整する回動・摺動調整部材と、上記第１の継手基部と上記第１のアーム支持部とを回動自在に取り付ける枢軸と、上記第１のアーム支持部における枢軸受け孔内に嵌挿され、上記支持アームの先端側の上昇移動時にはフリー状態で回動させ、下降移動時にはロック状態で回動させるワンウエイベアリングと、を具備し、上記第２の継手は、上記支持アームの先端部に取り付けられる第２のアーム支持部と、上記第２のアーム支持部に一端部が枢着され、他端に上記保持アームの基端部が回動自在及び抜け止め部材を介して抜け止め状態で嵌装される第２の継手基部と、上記第２の継手基部に設けられて上記保持アームの外周面に当接可能な回動調整部材と、を具備する、ことを特徴とする（請求項１）。
【００１２】
このように構成することにより、支柱の上端部に第１の継手を介して装着される支持アームを、水平方向及び鉛直方向に回動することができると共に、該支持アームを軸心に対して回動及び軸方向に摺動（スライド）して進退移動することができる。この際、支持アームの先端側を上昇するときは小さな力で容易に支持アームの先端側を上昇方向に回動することができ、支持アームの先端側を下降するときは、摩擦抵抗を与えて支持アームの先端側を下降方向に回動することができる。したがって、書物保持体側と支持アームの基端側のいずれの位置においても支持アームすなわち書物保持体を、水平方向及び鉛直方向に容易に回動することができる。
【００１３】
また、支持アームの先端部に第２の継手を介して装着される保持アーム及び保持アームに取り付けられる書物保持体を、支持アームの軸心に対する周方向及び直交方向に回動することができる。また、第２の継手の第２の継手基部を、保持アームの基端部に回動自在及び抜け止め部材を介して抜け止め状態で嵌装することにより、書物保持体が保持アームから抜け出るのを防止することができる。
【００１４】
請求項１記載の書見用スタンドにおいて、上記抜け止め部材は、上記保持アームの外周面に設けられた外周溝と、上記第２の継手基部の嵌装内周面に設けられた内周溝との間に介在される略楕円Ｃ字状の弾性変形可能な抜け止めリングにて形成されるのが好ましい（請求項２）。
【００１５】
このように構成することにより、抜け止め部材を介在した保持アームと第２の継手基部との取付を容易にすることができると共に、抜け止め状態を強固にすることができる。
【００１６】
請求項３記載の発明は、請求項１記載の書見用スタンドにおいて、上記第１の継手基部は、上記支柱の上端に嵌装される取付部と、上記取付部の上端に対峙状に立設され、外方に向かって膨隆する半球面部を有すると共に上記枢軸を貫挿する貫通孔を有し、かつ、上端から上記貫通孔に渡ってスリットを有する一対の円形状の起立部と、上記両起立部における上記スリットを介して対向する部分に貫通され、少なくとも一方にねじ部が設けられる締結用孔と、上記締結用孔のねじ部にねじ結合されて上記枢軸の締結力を調整可能な締結調整ねじ部材と、を具備し、上記第１のアーム支持部は、上記支持アームを回動及び摺動自在に貫通するアーム貫通孔を有すると共に、上端から上記アーム貫通孔に渡ってスリットを有するアーム取付部と、上記アーム取付部に突設され、上記ワンウエイベアリングを嵌挿した状態で上記一対の起立部間に挿入される上記起立部と略同径円形状の回動部と、上記回動部における上記起立部と対向する面に設けられた環状嵌合溝に嵌合されて上記起立部に摺接可能な合成ゴム製のＯリングと、具備し、上記アーム取付部における上記スリットを介して対向する部分にねじ孔を設け、上記ねじ孔にねじ結合する上記回動・摺動調整部材によって上記支持アームの回動力及び摺動力を調整可能にする、ことを特徴とする。
【００１７】
このように構成することにより、締結調整ねじ部材の締結力を調整することによって支持アームの鉛直方向の回動力を調整することができる。この際、第１の継手基部の起立部と第１のアーム支持部の回動部との間に介在される合成ゴム製のＯリングによって第１の継手基部と第１のアーム支持部の接触部の摩耗を防止することができる。また、回動・摺動調整部材をアーム取付部のねじ孔にねじ結合することで、支持アームとアーム取付部のアーム貫通孔との摩擦抵抗を調整して、支持アームの回動力及び摺動力を調整することができる。更には、第１の継手基部の起立部と第１のアーム支持部の回動部を、略同径の円形状に形成することにより、支持アームの回動時の第１の継手の外形の変化を抑制して外方への突出を少なくすることができる。
【００１８】
また、請求項４記載の発明は、請求項１記載の書見用スタンドにおいて、上記第２の継手基部は、上記保持アームを回動自在に嵌挿するスリットを介して２分割された開口穴を有する取付部と、上記取付部の先端に対峙状に突設され、外方に向かって膨隆する半球面部を有すると共に、少なくとも一方にねじ部が設けられる貫通孔を有する一対の円形状の突出部と、を具備し、上記回動調整部材は、上記スリットにより２分割された上記取付部の一方から上記開口穴に貫通するねじ孔にねじ結合し、上記保持アームの外周面に当接する回動調整ねじ部材にて形成され、上記第２のアーム支持部は、上記支持アームに嵌装されるアーム取付部と、上記アーム取付部に突設され、中央部に貫通孔を有し、かつ、上記一対の突出部間に挿入される上記突出部と略同径円形状の回動部と、上記回動部における上記突出部と対向する面に設けられる環状嵌合溝に嵌合されて上記突出部に摺接可能な合成ゴム製のＯリングと、を具備し、上記第２の継手基部の突出部に設けられた貫通孔と、上記第２のアーム支持部の回動部に設けられた上記貫通孔を貫通し、一方の貫通孔に設けられたねじ部にねじ結合する締付け調整ねじ部材によって上記第２の継手基部と第２のアーム支持部の締付け力を調整可能にする、ことを特徴とする。
【００１９】
このように構成することにより、回動調整ねじ部材によって保持アームの支持アームの軸心に対する周方向の回動を調整することができ、また、締付け調整ねじ部材の締付け力を調整することによって保持アームの支持アームの軸心に対する直交方向の回動を調整することができる。また、第２の継手基部の突出部と第２のアーム支持部の回動部との間に介在される合成ゴム製のＯリングによって第２の継手基部と第２のアーム支持部の接触部の摩耗を防止することができる。更には、第２の継手基部の突出部と第２のアーム支持部の回動部を、略同径の円形状に形成することにより、保持アームの回動時の第２の継手の外形の変化を抑制して外方への突出を少なくすることができる。
【００２０】
また、この発明の書見用スタンドにおいて、上記支柱は、上記基盤上に固定される支柱本体と、上記支柱本体の上端に緩衝材を介して回動自在に連結される回動軸と、を具備するのが好ましい（請求項５）。
【００２１】
このように構成することにより、支持アームの水平方向の回動を安定させると共に、回動に伴う支柱の摩耗を抑制することができる。
【００２２】
また、請求項６記載の発明は、請求項１又は５に記載の書見用スタンドにおいて、上記支柱を回避して上記基盤上に載置可能な重りを更に具備する、ことを特徴とする。
【００２３】
このように構成することにより、書物保持体に保持される書物の重量に対応させて重りを基盤上に載置することができ、書物用スタンドの安定化を図ることができる。
【００２４】
また、上記支柱は、上記基盤上に固定される支柱本体と、上記支柱本体の上端に緩衝材を介して回動自在に連結される回動軸と、を具備する場合は、上記支柱を回避して上記基盤上に載置可能な重りを、上記支柱に関して偏倚した形状に形成し、上記回動軸と上記重りとを連結部材にて連結し、上記重りの偏倚部を上記回動軸の回動に伴って上記支持アームの基端側に追従させるようにするのが好ましい（請求項７）。
【００２５】
このように構成することにより、重りの偏倚部を支柱の回動軸の回動に伴って支持アームの基端側に追従させるので、重りの機能を有効にすることができると共に、重りの重量及び材料の削減が図れる。
【００２６】
また、この発明の書見用スタンドにおいて、上記書物保持体は、書物を載置する載置板と、上記載置板の下端に沿設され、書物の下端部を支持する支持片を具備し、上記書物押さえ部は、上記支持片の中央部に一端が固定され、他端が上記載置板の裏面に突設された係止突起に着脱可能に係止する伸縮自在な中央保持紐と、上記載置板の両側の表裏面に着脱可能に掛け渡される伸縮自在な頁押さえ紐と、上記頁押さえ紐上を移動自在に緩装される球状押さえ部材と、を具備するのが好ましい（請求項８）。
【００２７】
このように構成することにより、中央保持紐によって書物の中央の頁綴り部を押さえ、必要に応じて、頁押さえ紐と該頁押さえ紐に緩装される球状押さえ部材によって書物の開かれた頁表面を押さえることができる。
【発明の効果】
【００２８】
この発明によれば、書物保持体側と支持アームの基端側のいずれの位置においても支持アーム及び書物保持体を、水平方向、鉛直方向及び支持アームに対する周方向に回動する自由度の向上が図れるので、仰臥や横臥等の異なる姿勢に対応して書物保持体の位置調整を容易に行うことができる。また、書物保持体が保持アームから抜け出るのを防止して、書物の安定保持を行うことができる。
【図面の簡単な説明】
【００２９】
【図１】この発明に係る書見用スタンドの第１実施形態を示す正面斜視図（ａ）、この発明における第１の継手の一部断面図（ｂ）及びこの発明におけるワンウエイベアリングの一部拡大断面図（ｃ）である。
【図２】第１実施形態の書見用スタンドの背面斜視図である。
【図３】この発明における基盤と支柱の取付状態を示す斜視図（ａ）及び基盤の底面図（ｂ）である。
【図４】この発明における基盤、支柱及び重りを示す分解斜視図である。
【図５】この発明における第１の継手を示す斜視図である。
【図５Ａ】この発明における支柱と第１の継手の取付状態を示す一部断面図である。
【図５Ｂ】この発明における締結調整ねじ部材の取付状態を示す一部断面図である。
【図６】上記第１の継手を示す分解斜視図（ａ）及び第１の継手基部を示す斜視図（ｂ）である。
【図７】ここの発明における第２の継手を示す斜視図（ａ）及び上記第２の継手と保持アームの連結部を示す断面図（ｂ）である。
【図８】上記第２の継手と保持アームを示す分解斜視図である。
【図９】この発明における第２の継手基部を示す斜視図である。
【図１０】この発明における保持アームと抜け止め部材を示す分解斜視図である。
【図１１】この発明における書物保持体を示す斜視図である。
【図１２】上記書物保持体、保持アーム及び第２の継手を示す分解斜視図である。
【図１３Ａ】この発明に係る書見用スタンドの使用状態の一例を示す概略斜視図である。
【図１３Ｂ】上記書見用スタンドの使用状態の別の一例を示す概略斜視図である。
【図１４】この発明における重りの別の形態を示す斜視図である。
【図１５】この発明における基盤の下面にキャスタを取り付けた支柱を示す斜視図（ａ）及び基盤の底面図（ｂ）である。
【発明を実施するための形態】
【００３０】
以下に、この発明に係る書見用スタンドの実施形態を添付図面に基づいて詳細に説明する。
【００３１】
この発明に係る書見用スタンドは、基盤１０に立設される支柱２０と、支柱２０の上端部に第１の継手３０を介して水平方向（Ｘ，Ｙ方向）及び鉛直方向（Ｚ方向）に回動自在に装着されると共に、回動及び摺動自在に装着される支持アーム５０と、支持アーム５０の先端部に第２の継手６０を介して支持アーム５０の軸心に対する周方向及び直交方向に回動自在に装着される保持アーム７０と、保持アーム７０の先端部に取り付けられる、書物押さえ部８０を有する書物保持体９０と、を具備している。この場合、支持アーム５０と保持アーム７０は、ステンレス製のパイプ部材にて形成されている。また、支持アーム５０の基端部には合成樹脂製のキャップ５１が被着されている。なお、基盤１０上には、支柱２０を回避して重り１６が着脱可能に載置される。
【００３２】
上記支柱２０は、図３及び図４に示すように、アルミニウム製の円板状の基盤１０の中心部に立設固定される円柱状の例えばステンレス製の支柱本体２１と、支柱本体２１の上端に緩衝材２３を介して回動自在に連結される円柱状の例えばステンレス製の回動軸２２とで構成されている。この場合、支柱本体２１は上端部及び下端部に上部小径軸２１ａと下部小径軸２１ｂが延在されており、下部小径軸２１ｂが基盤１０に固定される厚肉円筒状の支持部材１１に設けられた貫通孔１１ａ内に挿入され、基盤１０の中心部に設けられた取付孔１３ａを貫通する取付ねじ１４ａによって固定されている。なお、支持部材１１は、基盤１０の中心部に設けられた円形凹部１０ａに嵌挿され、円形凹部１０ａの同心円上に設けられた複数例えば６個の取付孔１３ｂを貫通する複数の取付ねじ１３ｂを支持部材１１の下端に設けられたねじ孔（図示せず）にねじ結合することによって固定されている。このように構成することにより、支柱２０は支持部材１１によって基盤１０上に強固に取り付けられる。
【００３３】
また、支柱本体２１の上部小径軸２１ａには、ドーナツ円板状の例えばウレタン製の緩衝材２３を介して回動軸２２の下端に設けられた円形穴（図示せず）が嵌装されて、回動軸２２が水平方向に回動自在に連結されている。なお、回動軸２２の上端には上部小径軸２２ａが延在しており、この上部小径軸２２ａに第１の継手３０が装着される。
【００３４】
なお、基盤１０の下面の外周側の同心円上には複数例えば１０個の凸球面を有する例えばフッ素樹脂等の合成樹脂製の滑り材１５が装着されている。
【００３５】
また、上記基盤１０の上面に着脱可能に載置される重り１６は、所定の重量を有する複数例えば２個のステンレス製の大径円板状重り１６ａと小径円板状重り１６ｂとからなる。各重り１６ａ，１６ｂの中心部には、支柱２０を回避すべく支持部材１１を遊嵌する嵌挿孔１６ｃが設けられている。
【００３６】
上記第１の継手３０は、図５及び図６に示すように、支柱２０の回動軸２２の上端の上部小径軸２２ａに取り付けられる第１の継手基部３１と、支持アーム５０を回動及び摺動自在に貫通する第１のアーム支持部３２と、第１のアーム支持部３２における支持アーム５０の貫通部において支持アーム５０の回動力及び摺動力を調整可能な回動・摺動調整部材３３と、第１の継手基部３１と第１のアーム支持部３２とを回動自在に取り付ける枢軸３４と、第１のアーム支持部３２における枢軸受け孔３２ｅ内に嵌挿され、支持アーム５０の先端側の上昇移動時にはフリー状態で回動させ、下降移動時にはロック状態で回動させるワンウエイベアリング３５と、を具備している。
【００３７】
上記ワンウエイベアリング３５は、図１（ｃ）に示すように、第１のアーム支持部３２に設けられた枢軸受け孔３２ｅに嵌挿固定される外輪３５ａと、枢軸３４に嵌合される内輪３２ｂと、外輪３５ａと内輪３２ｂとの隙間内に配設される複数のボール３２ｃと、複数のボール３２ｃを一定の間隔をおいて転動自在に保持する保持部材３２ｄと、を具備している。また、外輪３５ａの内周面には、ボール３２ｃの転動を許容する凹所３２ｆと凹所３２ｆの周方向の一端に連なってボール３２ｃの転動を阻止する傾斜部３２ｇとが周方向に適宜間隔をおいて形成されている。更に、保持部材３２ｄにおける傾斜部３２ｇと反対の凹所３２ｆ側にはボール３２ｃを弾性保持する圧縮ばね部材３５ｅが配設されている。なお、この場合、ワンウエイベアリング３５の外輪３５ａに設けられる傾斜部３２ｇは、支持アーム５０の先端部が上昇移動する回動方向Ｕ側に位置している。これにより、支持アーム５０の先端側の上昇移動時の回動方向Ｕにはフリー状態で回動させ、下降移動時の回動方向Ｄにはロック状態で回動させることができる。
【００３８】
また、第１の継手基部３１は、図５及び図６に示すように、支柱２０の回動軸２２の上端の上部小径軸２２ａに嵌装される取付部３６と、取付部３６の上端に対峙状に立設され、外方に向かって膨隆する半球面部３７ａを有すると共に枢軸３４を貫挿する貫通孔３７ｂを有し、かつ、上端から貫通孔３７ｂに渡ってスリット３７ｃを有する一対の円形状の起立部３７と、両起立部３７におけるスリット３７ｃを介して対向する部分に貫通され、ねじ部３７ｄが設けられる締結用孔３７ｅと、締結用孔３７ｅのねじ部３７ｄにねじ結合されて枢軸３４の締結力を調整可能な締結調整ねじ部材３８と、を具備している。
【００３９】
この場合、図５Ａに示すように、取付部３６には、回動軸２２の上部小径軸２２ａが挿入可能な下端開口穴３６ａと、この下端開口穴３６ａを径方向に２分割するスリット３６ｂと、下端開口穴３６ａの上方側におけるスリット３６ｂを介して対向する部分に位置するねじ孔３６ｃとが設けられている。このように形成される取付部３６の下端開口穴３６ａを回動軸２２の上部小径軸２２ａに嵌装した状態で、ねじ孔３６ｃに締結ねじ３６ｄをねじ結合(締結)することで、回動軸２２と第１の継手３０とが連結される。
【００４０】
また、図５Ｂに示すように、締結調整ねじ部材３８を、両起立部３７におけるスリット３７ｃを介して対向する部分に貫通された締結用孔３７ｅのねじ部３７ｄにねじ結合（締結）することで、枢軸３４の締結力が調整される。この場合、スリット３７ｃを介して対向する両締結用孔３７ｅにねじ部３７ｄを設けているが、少なくとも一方、すなわち締結調整ねじ部材３８が挿入される先端側の締結用孔３７ｅにねじ部３７ｄが設けられていればよい。なお、締結調整ねじ部材３８は、頭部３８ａに六角穴３８ｂが設けられており、六角レンチ等の工具を用いて締結用孔３７ｅのねじ部３７ｄに締結される。
【００４１】
一方、第１のアーム支持部３２は、支持アーム５０を回動及び摺動自在に貫通するアーム貫通孔３２ａを有する略矩形ブロック状のアーム取付部３２ｂと、アーム取付部３２ｂに突設され、ワンウエイベアリング３５を嵌挿した状態で一対の起立部３７間に挿入される、起立部３７と略同径円形状の回動部３２ｃと、回動部３２ｃにおける起立部３７と対向する面に設けられた環状嵌合溝３２ｄに嵌合されて起立部３７に摺接可能な合成ゴム製のＯリング３９と、を具備している。なお、回動部３２ｃには、ワンウエイベアリング３５を嵌挿する枢軸受け孔３２ｅが設けられると共に、回動部３２ｃの先端から枢軸受け孔３２ｅに渡ってスリット３２ｆが設けられ、スリット３２ｆを介して対向する部分にはねじ孔３２ｇが貫通して設けられている。このように形成される回動部３２ｃの枢軸受け孔３２ｅ内にワンウエイベアリング３５を嵌挿した状態で、ねじ孔３２ｇに締結ねじ３２ｈをねじ結合(締結)することによって回動部３２ｃの枢軸受け孔３２ｅにワンウエイベアリング３５が嵌挿固定される。この場合、締結ねじ３２ｈは頭部３２ｉに六角穴３２ｊが設けられており、六角レンチ等の工具を用いてねじ孔３２ｇに締結される。
【００４２】
また、アーム取付部３２ｂの上端中央部からアーム貫通孔３２ａに渡ってスリット３２ｋが設けられ、スリット３２ｋを介して対向するアーム取付部３２ｂにはねじ孔３２ｍが設けられており、このねじ孔３２ｍに、上記回動・摺動調整部材３３がねじ結合されている。この場合、回動・摺動調整部材３３は、ねじ孔３２ｍにねじ結合するねじ軸３３ａの一端に摘み部３３ｂを有する蝶ボルトにて形成されている。上記のように形成される回動・摺動調整部材３３のねじ軸３３ａを、アーム取付部３２ｂのスリット３２ｋを介して対向する部分に設けられたねじ孔３２ｍにねじ結合することによってアーム貫通孔３２ａの内径を変化させて支持アーム５０の軸心に対する回動力及び軸方向の摺動力すなわちアーム貫通孔３２ａと支持アーム５０の摩擦力を調整することができる。なお、ねじ孔３２ｍはスリット３２ｋを介して対向する部分の一方に設けられていればよく、他方には回動・摺動調整部材３３のねじ軸３３ａを貫通する貫通孔であってもよい。
【００４３】
上記のように形成される第１の継手基部３１と第１のアーム支持部３２を回動自在に枢着する枢軸３４は抜け止めリング４０によって第１の継手基部３１と第１のアーム支持部３２から抜け出るのを阻止されている。この場合、枢軸３４は、図６に示すように、円筒状に形成されており、一端側の外周面には外周溝３４ａが周設されている。また、第１の継手基部３１の起立部３７に設けられる貫通孔３７ｂの内周面には内周溝３４ｂが周設されている。抜け止めリング４０は、後述する保持アーム７０の抜け止めリング４０と同様に、略楕円Ｃ字状の弾性変形可能に形成されており、枢軸３４に設けられた外周溝３４ａに取り付けられた状態で、起立部３７に設けられた貫通孔３７ｂ内に挿入されると、楕円形状の短径部が膨隆状に弾性変形して、抜け止めリング４０が、枢軸３４に設けられた外周溝３４ａと起立部３７に設けられた内周溝３４ｂに係合して、枢軸３４が第１の継手基部３１と第１のアーム支持部３２から抜け出るのを阻止している。
【００４４】
上記第２の継手６０は、図７及び図８に示すように、支持アーム５０の先端部に取り付けられる第２のアーム支持部６２と、第２のアーム支持部６２に一端部が枢着され、他端に保持アーム７０の基端部が回動自在及び抜け止め部材である抜け止めリング４０を介して抜け止め状態で嵌装される第２の継手基部６１と、第２の継手基部６１に設けられて保持アーム７０の外周面に当接可能な回動調整部材６３と、第２のアーム支持部６２と第２の継手基部６１の枢着部の締付け力を調整する締付け調整ねじ部材６４と、を具備している。
【００４５】
上記第２の継手基部６１は、図７ないし図９に示すように、保持アーム７０を嵌挿する取付部６５と、取付部６５の先端に対峙状に突設され、外方に向かって膨隆する半球面部６６ａを有すると共に、ねじ部６６ｃが設けられる貫通孔６６ｂを有する一対の円形状の突出部６６と、を具備している。
【００４６】
この場合、取付部６５には、取付部６５の一端に開口する保持アーム７０の基端部が回動自在に挿入可能な開口穴６５ａと、この開口穴６５ａを径方向に２分割するスリット６５ｂと、スリット６５ｂによって分割された取付部６５の一方から開口穴６５ａに貫通するねじ孔６５ｃが設けられている。また、回動調整部材６３は、ねじ孔６５ｃにねじ結合して、保持アーム７０の外周面に当接するねじ軸６３ａの一端の大径頭部６３ｂに摘まみ部６３ｃを有する蝶ボルトと同様な回動調整ねじ部材にて形成されている。
【００４７】
上記のように形成される取付部６５のねじ孔６５ｃに回動調整部材６３(以下に回動調整ねじ部材６３という)をねじ結合して回動調整ねじ部材６３の先端を保持アーム７０の外周面に当接し、その当接力を調整することによって、支持アーム５０の軸心に対する保持アーム７０の回動力を調整することができる。したがって、保持アーム７０の先端に取り付けられる書物保持体９０の面方向の回動を調整することができる。
【００４８】
また、抜け止めリング４０は、略楕円Ｃ字状の弾性変形可能に形成されており、保持アーム７０の基端側の外周面に設けられた外周溝７１ａに取り付けられた状態で、取付部６５に設けられた開口穴６５ａ内に挿入されると、図７（ｂ）に示すように、楕円形状の短径部が膨隆状に弾性変形して、抜け止めリング４０が、保持アーム７０に設けられた外周溝７１ａと開口穴６５ａの内周面に設けられた内周溝７１ｂに係合して、保持アーム７０が取付部６５の開口穴６５ａから抜け出るのを阻止している。
【００４９】
上記第２のアーム支持部６２は、支持アーム５０に嵌装されるアーム取付部６２ａと、アーム取付部６２ａに突設され、中央部に貫通孔６２ｂを有し、かつ、上記一対の突出部６６間に挿入される突出部６６と略同径円形状の回動部６２ｃと、回動部６２ｃにおける突出部６６と対向する面に設けられる環状嵌合溝６２ｄに嵌合されて突出部６６に摺接可能な合成ゴム製のＯリング６７と、を具備している。
【００５０】
この場合、アーム取付部６２ａには、図８に示すように、アーム取付部６２ａの一端に開口する支持アーム５０の先端部が挿入可能な開口穴６２ｅと、この開口穴６２ｅを径方向に２分割するスリット６２ｆと、スリット６２ｆによって分割されたアーム取付部６２ａの一方から開口穴６２ｅに貫通するねじ孔６２ｇが設けられている。このように形成されるアーム取付部６２ａの開口穴６２ｅ内に支持アーム５０の先端部を挿入し、ねじ孔６２ｇにねじ結合する締結ねじ部材６２ｈを支持アーム５０の外周面に当接し押圧することで、支持アーム５０の先端部にアーム取付部６２ａを嵌装固定することができる。
【００５１】
上記締付け調整ねじ部材６４は、第２の継手基部６１の突出部６６に設けられた貫通孔６６ｂと、第２のアーム支持部６２の回動部６２ｃに設けられた貫通孔６２ｂを貫通し、突出部６６の貫通孔６６ｂに設けられたねじ部６６ｃにねじ結合して、第２の継手基部６１と第２のアーム支持部６２の締付け力を調整可能に形成されている。これにより、第２の継手基部６１と第２のアーム支持部６２とを締付け力が調整可能な状態で枢着される。この場合、締付け調整ねじ部材６４は、ねじ部６６ｃにねじ結合するねじ軸６４ａの一端の大径頭部６４ｂに操作レバー６４ｃを突設してなる。
【００５２】
なお、上記説明では、第２の継手基部６１の一対の突出部６６に設けられた貫通孔６６ｂにねじ部６６ｃが設けられる場合について説明したが、ねじ部６６ｃは一方の貫通孔６６ｂに設けられていればよく、他方には締付け調整ねじ部材６４のねじ軸６４ａを貫通する貫通孔であってもよい。
【００５３】
上記書物保持体９０は、書物１００を載置する木製の載置板９１と、載置板９１の下端に沿設され、書物１００の下端部を支持すべく表面側に突出する木製の支持片９２を具備しており、載置板９１の両側縁部には木製の額縁９３が装着されている。
【００５４】
上記書物保持体９０は、載置板９１の裏面中央部に固定される円板状の取付板９４に突設された筒状取付部９５に保持アーム７０の先端部を嵌挿し、固定ねじ(図示せず)を筒状取付部９５を貫通して保持アーム７０の外周面に押圧することで保持アーム７０に取り付けられている。
【００５５】
この場合、取付板９４には、同心円上に複数例えば８個の取付ねじ孔９６が設けられている。また、載置板９１には取付ねじ孔９６と対向する複数例えば同心円上に等間隔の８個の透孔９７が設けられており、載置板９１の表面側から透孔９７を貫通する固定ねじ９８ａ〜９８ｈと載置板９１の表面との間にそれぞれ座金９９ａとゴムパッキン９９ｂを介在して固定ねじ９８ａ〜９８ｈを取付板９４の取付ねじ孔９６にねじ結合（締結）して取付板９４と載置板９１とを固定している。なお、この場合、８個の透孔９７のうちの２個を載置板９１の中心部の垂直方向の２箇所に設けると共に、残りの６個のうちの２個を載置板９１の中心部の水平方向の２箇所に設け、これら４個の透孔を貫通する固定ねじ９８ａ〜９８ｄの頭部を皿状にし、残りの４個の固定ねじ９８ｅ〜９８ｈの頭部を大径円柱状に形成するのが好ましい。このように構成することにより、固定ねじ９８ｅ〜９８ｈの大径円柱状頭部が載置板９１の表面における中心垂直線に対して左右対称に位置するので、載置板９１に載置される書物１００（例えば厚みのある書籍）の背表紙を保持してずれを防止することができる。
【００５６】
上記書物押さえ部８０は、支持片９２の中央部に一端が固定され、他端が載置板９１の裏面に突設された係止突起８４に着脱可能に係止する伸縮自在な中央保持紐８１と、載置板９１の両側の表裏面に着脱可能に掛け渡される伸縮自在な頁押さえ紐８２と、頁押さえ紐８２上を移動自在に緩装される球状押さえ部材８３と、を具備する。
【００５７】
この場合、中央保持紐８１は、一端に固定用球体８１ａが連結され、支持片９２に設けられた取付孔９２ａを貫通して載置板９１の裏面側に伸びる他端に係止リング８１ｂが取り付けられている。中央保持紐８１の係止リング８１ｂは、載置板９１の裏面側において取付板９４の上端側を固定する固定ねじ９８ａにねじ結合される段付き円筒状のフック金具により形成される係止突起８４に係脱可能に係止されるようになっている。
【００５８】
上記のように構成される書物押さえ部８０を用いることにより、載置板９１に載置される書物１００（例えば厚みのある書籍）の背表紙部を固定ねじ９８ｅ〜９８ｈの大径円柱状頭部で保持すると共に、開かれた状態の頁綴り部を中央保持紐８１によって保持し、開かれた左右の頁を頁押さえ紐８２上を移動自在に緩装される球状押さえ部材８３によって保持することができる。
【００５９】
上記のように構成される上記実施形態の書見用スタンドによれば、支柱２０の上端部に第１の継手３０を介して装着される支持アーム５０を、水平方向（Ｘ，Ｙ方向）及び鉛直方向（Ｚ方向）に回動することができると共に、支持アーム５０を軸心に対して回動及び軸方向に摺動（スライド）して進退移動することができる。この際、支持アーム５０の先端側を上昇するときは小さな力で容易に支持アーム５０の先端側を上昇方向に回動することができ、支持アーム５０の先端側を下降するときは、摩擦抵抗を与えて支持アーム５０の先端側を下降方向に回動することができる。
【００６０】
また、上記Ｘ，Ｙ及びＺ方向に回動自在な支持アーム５０の先端部に第２の継手６０を介して支持アーム５０の軸心に対する周方向及び直交方向に回動自在に装着される保持アーム７０の先端部に、書物押さえ部を有する書物保持体を取り付けるので、書物保持体９０側と支持アーム５０の基端側のいずれの位置においても支持アーム５０すなわち書物保持体９０を、水平方向及び鉛直方向に容易に回動することができ、書物保持体９０を任意の位置に調整することができる(図１３Ａ，図１３Ｂ参照)。
【００６１】
また、第２の継手６０の第２の継手基部６１を、保持アーム７０の基端部に回動自在及び抜け止めリング４０を介して抜け止め状態で嵌装することにより、書物保持体９０が保持アーム７０から抜け出るのを防止することができるので、特に重量のある書物１００においても安定した状態で、読書することができる。
【００６２】
また、書見用スタンドを使用しない場合は、支柱２０に対して支持アーム５０を略平行状態に起立させることにより、占有スペースを少なくすることができる。
【００６３】
なお、上記実施形態では、基盤１０上に着脱可能に載置される重り１６が、支柱２０の支持部材１１を嵌挿する嵌挿孔１６ｃを有するドーナツ円板状の２つの重り１６ａ，１６ｂである場合について説明したが、重りはこれに限定されるものではなく、別の形態にしてもよい。例えば、図１４に示すように、支柱２０を回避して基盤１０上に載置可能な重り１６Ａを、支柱２０に関して偏倚した形状例えば扇形に形成し、支柱２０の回動軸２２部と重り１６Ａとを連結部材１７にて連結し、重り１６Ａの偏倚部１６ｄを回動軸２２部の回動に伴って支持アーム５０の基端側に追従させるように形成してもよい。
【００６４】
このように構成することにより、重り１６Ａの偏倚部１６ｄを支持アーム５０の基端側に位置させることができるので、書物１００を保持した書物保持体９０側の重量に対する重量バランスを効率良く行うことができると共に、重り１６Ａの材料の削減を図ることができる。
【００６５】
また、上記実施形態では、基盤１０の底面に滑り材１５を設ける場合について説明したが、図１５に示すように、滑り材１５に代えて基盤１０の底面に水平方向に回動自在なキャスタ１８を装着してもよい。このように構成することにより、書見用スタンドの移動を容易にすることができる。
【００６６】
なお、書物保持体９０に保持される書物としては、一般的な書籍の他に厚みのある辞書、図鑑や専門書等は勿論、電子書籍も含まれる。また、これら書物の他に、ノートパソコンや液晶テレビ等の電子機器類を書物保持体９０に載置保持することも可能である。
【００６７】
また、この発明に係る書見用スタンドは、仰臥や横臥等の他の異なる姿勢においても書物保持体９０の位置調整を容易に行うことができるので、例えば教壇での講義の資料等の書物を書物保持体９０に保持して、講義に供することができる。
【符号の説明】
【００６８】
１０  基盤
１６，１６ａ，１６ｂ，１６Ａ  重り
１６ｃ  支柱回避用貫通孔
１６ｄ  偏倚部
１７  連結部材
２０  支柱
２１  支柱本体
２２  回動軸
２３  緩衝材
３０  第１の継手
３１  第１の継手基部
３２  第１のアーム支持部
３２ａ  アーム貫通孔
３２ｂ  アーム取付部
３２ｃ  回動部
３２ｄ  環状嵌合溝
３２ｅ  枢軸受け孔
３２ｆ  スリット
３２ｇ  ねじ孔
３２ｈ  締結ねじ
３２ｋ  スリット
３２ｍ  ねじ孔
３３  回動・摺動調整部材
３４  枢軸
３５  ワンウエイベアリング
３６  取付部
３７  起立部
３７ａ  半球面部
３７ｂ  貫通孔
３７ｄ  ねじ部
３７ｅ  締結用孔
３８  締結調整ねじ部材
３９  Ｏリング
４０  抜け止めリング(抜け止め部材)
５０  支持アーム
６０  第２の継手
６１  第２の継手基部
６２  第２のアーム支持部
６２ａ  アーム取付部
６２ｂ  貫通孔
６２ｃ  回動部
６２ｄ  環状嵌合溝
６３  回動調整ねじ部材（回動調整部材）
６４  締付け調整ねじ部材
６５  取付部
６５ａ  貫通孔
６５ｂ  スリット
６５ｃ  ねじ部
６６  突出部
６６ａ  半球面部
６６ｂ  貫通孔
６６ｃ  ねじ孔
６７  Ｏリング
７０  保持アーム
７１ａ  外周溝
７１ｂ  内周溝
８０  書物押さえ部
８１  中央押さえ紐
８２  頁押さえ紐
８３  球状押さえ部材
９０  書物保持体
９１  載置板
９２  支持片
１００  書物
【図１】
0005970626.tif 000002
【図２】
0005970626.tif 000003
【図３】
0005970626.tif 000004
【図４】
0005970626.tif 000005
【図５】
0005970626.tif 000006
【図５Ａ】
0005970626.tif 000007
【図５Ｂ】
0005970626.tif 000008
【図６】
0005970626.tif 000009
【図７】
0005970626.tif 000010
【図８】
0005970626.tif 000011
【図９】
0005970626.tif 000012
【図１０】
0005970626.tif 000013
【図１１】
0005970626.tif 000014
【図１２】
0005970626.tif 000015
【図１３Ａ】
0005970626.tif 000016
【図１３Ｂ】
0005970626.tif 000017
【図１４】
0005970626.tif 000018
【図１５】
0005970626.tif 000019